(57)【要約】【課題】ユーザの指先を２重層内部へ容易に入れることができる上、保温性及び快適性を備えた５本指収容２重層タイプ手袋構造を提供する。【解決手段】５本指収容２重層タイプ手袋構造は、手袋本体Ａを備える。手袋本体Ａは、ネリ層１とカバー層２とが縫着されて形成される。ネリ層１は、特製ネリ糸により織編されて一体成形された手袋であるとともに、胴体部２１、内指袋部１２及び複数本指袋２３を有する。カバー層２は、経糸と緯糸とにより織編されて一体成形された手袋であるとともに、胴体部２１、外指袋部２２、複数本指袋２３及び締付け部２４を有する。カバー層２の締付け部２４の底端には、内方へ折れ曲がった袖口エリア２４１が形成される。【選択図】図１
0003183056.tif 000002
【実用新案登録請求の範囲】
【請求項１】
手袋本体を備えた５本指収容２重層タイプ手袋構造であって、
前記手袋本体は、ネリ層とカバー層とが縫着されて形成され、前記ネリ層は、特製ネリ糸により織編されて一体成形された手袋であるとともに、胴体部、内指袋部及び複数本指袋を有し、前記カバー層は、経糸と緯糸とにより織編されて一体成形された手袋であるとともに、胴体部、指袋部、複数本指袋及び締付け部を有し、
前記カバー層の前記締付け部の底端には、内方へ折れ曲がった袖口エリアが形成され、前記袖口エリアの内端には、所定の長さで前記ネリ層の前記胴体部の底端が対応し、縫糸により縫合され、少なくとも１つの縫着エリアを形成して縫着の堅牢性を高め、前記カバー層をひっくり返して前記ネリ層の表面を覆い、前記ネリ層の前記複数本指袋と前記カバー層の前記複数本指袋との前端を縫糸により縫着して連結箇所を形成し、
前記ネリ層の前記複数本指袋は、前記縫糸により人差指袋、中指袋、薬指袋及び小指袋の４本指タイプの手袋を互いに縫着させて形成されることを特徴とする５本指収容２重層タイプ手袋構造。
【請求項２】
前記ネリ層の前記複数本指袋は、一体式に縫成する方式又は縫着方式により形成された前記人差指袋、前記中指袋、前記薬指袋及び前記小指袋の４本指タイプの手袋を含むことを特徴とする請求項１に記載の５本指収容２重層タイプ手袋構造。
【請求項３】
前記ネリ層の前記ネリ糸は、組織糸、羽毛糸、カシミヤ糸、半カシミヤ糸又はループ糸であることを特徴とする請求項１に記載の５本指収容２重層タイプ手袋構造。
【請求項４】
前記カバー層の表面には、少なくとも１つの装飾物が縫着されることを特徴とする請求項１に記載の５本指収容２重層タイプ手袋構造。
【請求項５】
前記カバー層の表面には、柄模様、縞模様、波模様、文字・数字、動植物、人又はアニメの絵のうちの１つ又はそれらの組み合わせが表わされた少なくとも１つのパターン層縫着エリアが形成されていることを特徴とする請求項４に記載の５本指収容２重層タイプ手袋構造。
【考案の詳細な説明】
【技術分野】
【０００１】
本考案は、５本指タイプ手袋構造に関するものであり、さらに詳しくは、ネリ層とカバー層とを縫着して手袋本体を形成し、ネリ層の複数本指袋を縫糸により縫成し、人差指袋、中指袋、薬指袋及び小指袋の４本指の袋を形成する５本指収容２重層タイプ手袋構造に関するものである。
【背景技術】
【０００２】
図６に示すように、従来技術の２重層式手袋は、内側手袋４及び外側手袋５から構成される手袋本体Ｂを含む。外側手袋５は、内側手袋４の表面を覆う。外側手袋５は、胴体部５１、親指袋５２、４本指用指袋５３及び締付け部５４を含む。内側手袋４は、胴体部４１、親指袋４２及び複数本の指袋４３を有する。内側手袋４の親指袋４２は、外側手袋５の親指袋５２に設けられる。内側手袋４の複数本指袋４３は、外側手袋５の４本用指袋５３に設けられ、２重層式手袋が構成される。外側手袋５の４本用指袋５３内には、内側手袋４が設けられ、複数の複数本指袋４３が設けられて２重層式手袋を構成する。手袋本体Ｂは、保温効果を有するが、内側手袋４の４つの複数本指袋４３へユーザが指を入れる際、間違った指袋へ入れたり、指袋中へ指を正しく入れるのに時間がかかったりすることがあった。
【考案の概要】
【考案が解決しようとする課題】
【０００３】
本考案の課題は、ユーザの指先を２重層内部へ容易に入れることができる５本指収容２重層タイプ手袋構造を提供することにある。
【０００４】
本考案のもう一つの課題は、保温性及び快適性を備えた５本指収容２重層タイプ手袋構造を提供することにある。
【課題を解決するための手段】
【０００５】
上記課題を解決するために、本考案によれば、手袋本体を備えた５本指収容２重層タイプ手袋構造であって、
前記手袋本体は、ネリ層とカバー層とが縫着されて形成され、前記ネリ層は、特製ネリ糸により織編されて一体成形された手袋であるとともに、胴体部、内指袋部及び複数本指袋を有し、
前記カバー層は、経糸と緯糸とにより織編されて一体成形された手袋であるとともに、胴体部、外指袋部、複数本指袋及び締付け部を有し、
前記カバー層の前記締付け部の底端には、内方へ折れ曲がった袖口エリアが形成され、前記袖口エリアの内端には、所定の長さで前記ネリ層の前記胴体部の底端が対応し、縫糸により縫合され、少なくとも１つの縫着エリアを形成して縫着の堅牢性を高め、前記カバー層をひっくり返して前記ネリ層の表面を覆い、前記ネリ層の前記複数本指袋と前記カバー層の前記複数本指袋との前端を縫糸により縫着して連結箇所を形成し、
前記ネリ層の前記複数本指袋は、前記縫糸により互いに縫着させた人差指袋、中指袋、薬指袋及び小指袋の４本指タイプの手袋を形成することを特徴とする５本指収容２重層タイプ手袋構造が提供される。
【０００６】
前記ネリ層の前記複数本指袋は、一体式に縫成する方式又は縫着方式により形成された前記人差指袋、前記中指袋、前記薬指袋及び前記小指袋の４本指タイプの手袋を含むことが好ましい。
【０００７】
前記ネリ層の前記ネリ糸は、組織糸、羽毛糸、カシミヤ糸、半カシミヤ糸又はループ糸であることが好ましい。
【０００８】
前記カバー層の表面には、少なくとも１つの装飾物が縫着されることが好ましい。
【０００９】
前記カバー層の表面には、柄模様、縞模様、波模様、文字・数字、動植物、人又はアニメの絵のうちの１つ又はそれらの組み合わせが表わされた少なくとも１つのパターン層縫着エリアが形成されていることが好ましい。
【考案の効果】
【００１０】
本考案は、前記の通りの構成からなり、指袋への指の挿入が極めて容易な構造であり、堅牢性、保温性、快適性等において著しく顕著な効果を奏する。
【図面の簡単な説明】
【００１１】
【図１】図１は、本考案の一実施形態に係る５本指収容２重層タイプ手袋構造を示す部分断面図である。
【図２】図２は、本考案の一実施形態に係る５本指収容２重層タイプ手袋構造の第１の縫成過程を示す模式図である。
【図３】図３は、本考案の一実施形態に係る５本指収容２重層タイプ手袋構造の第１の縫成過程を示す背面断面図である。
【図４】図４は、本考案の一実施形態に係る５本指収容２重層タイプ手袋構造の第２の縫成過程を示す断面図である。
【図５】図５は、本考案の一実施形態に係る５本指収容２重層タイプ手袋構造を示す平面図である。
【図６】図６は、従来構造の部分断面図である。
【考案を実施するための形態】
【００１２】
以下、本考案の実施形態について図面に基づいて説明する。なお、これによって本考案が限定されるものではない。
【００１３】
図１〜図３を参照する。図１〜図３に示すように、本考案の一実施形態に係る５本指収容２重層タイプ手袋構造は、手袋本体Ａを含む。この手袋本体Ａは、ネリ層１とカバー層２とを縫着して形成される。
【００１４】
ネリ層１は、手の掌及び指の輪郭を包み、特製ネリ糸（ｎｅｒｉ  ｙａｒｎ（練糸））により縫成された手袋を一体成形する。ネリ層１は、手の甲エリア１１１及び掌エリア１１２を覆う胴体部１１を含む。胴体部１１の前端には、延ばされて縫成された内指袋部１２及び複数本指袋１３が形成される。複数本指袋１３は、縫糸１４により縫合して人差指袋１３１、中指袋１３２、薬指袋１３３及び小指袋１３４の４本指タイプの手袋を形成する。
【００１５】
カバー層２は、手の掌及び指の輪郭全体を包み、経糸と緯糸とにより織編して手袋を一体成形する。カバー層２は、手の甲部２１１及び掌エリア２１２を有する胴体部２１を含む。胴体部２１の前端には、外指袋部２２及び大型空間を有する複数本指袋２３が延ばされて縫成される。胴体部２１の後端には、締付け部２４が延ばされて縫成されて締め付け効果を得て、締付け部２４の底端を内方へ折れ曲がった袖口エリア２４１を形成し、手部を入れて腕を覆う。袖口エリア２４１の内端には、所定の長さでネリ層１の胴体部１１の底端が対応するように縫糸２４２１により縫着され、少なくとも１つの縫着エリア２４２を形成して縫着の堅牢性を向上させ、カバー層２をひっくり返してネリ層１の表面を覆う。ネリ層１の複数本指袋１３とカバー層２の複数本指袋２３との前端部分は、縫糸３１により縫着して連結箇所３が形成される。
【００１６】
図４及び図５を参照する。図４及び図５に示すように、本考案の一実施形態に係る２重層内の５本指収容２重層タイプ手袋構造は、ネリ層１とカバー層２とが縫着されて形成された手袋本体Ａを含む。ネリ層１が特製ネリ糸により縫成され、手袋が一体成形される。ネリ層１は、胴体部１１、内指袋部１２及び複数本指袋１３を有する。ネリ層１の複数本指袋１３は、縫糸１４により縫成され、人差指袋１３１、中指袋１３２、薬指袋１３３及び小指袋１３４を互いに接続して４本指タイプを形成する。ネリ層１のネリ糸は、組織繊維（ｔｉｓｓｕｅ  ｆｉｂｅｒ）である。この組織繊維は、組織糸（ｏｒｇａｎｉｚａｔｉｏｎ  ｙａｒｎ）、羽毛糸（ｆｅａｔｈｅｒ  ｙａｒｎ）、カシミヤ糸（ｃａｓｈｍｅｒｅ  ｙａｒｎ）、半カシミヤ糸（ｈａｌｆ  ｏｆ  ｃａｓｈｍｅｒｅ  ｙａｒｎ）又はループ糸（ｌｏｏｐ  ｙａｒｎ）であり、身に着けたときの保温性及び快適性に優れている。カバー層２は、経糸と緯糸とを織編して構成した一体成形型の手袋である。カバー層２は、胴体部２１、外指袋部２２、複数本指袋２３及び締付け部２４を含む。カバー層２の締付け部２４の底端には、内方に折り曲げられて袖口エリア２４１が形成される。袖口エリア２４１の内端には、所定長さでネリ層１の胴体部１１の底端に対応し、縫糸２４２１により縫着された少なくとも１つの縫着エリア２４２が形成され、縫着の堅牢性を高める。カバー層２は、ひっくり返してネリ層１の表面を覆う。ネリ層１の複数本指袋１３及びカバー層２の複数本指袋２３の前端部は、縫糸３１により縫着されて連結箇所３が形成される。特に、ネリ層１の複数本指袋１３は一体式に縫成したり縫着方式により人差指袋１３１、中指袋１３２、薬指袋１３３及び小指袋１３４の４本指タイプの手袋（図４参照）を形成してもよい。ネリ層１の内指袋部１２は、カバー層２の外指袋部２２内に設けられ、手に被せる際、容易に指を入れることができる。本実施形態の手袋本体Ａのカバー層２の表面には、少なくとも１つの装飾物２５が縫着される。装飾物２５は、ニットアクセサリ（ｋｎｉｔｔｉｎｇ  ａｃｃｅｓｓｏｒｙ）、不織布フィッティング（ｎｏｎ−ｗｏｖｅｎ  ｆｉｔｔｉｎｇ）、スパンコールフィッティング（ｓｅｑｕｉｎｅｄ  ｆｉｔｔｉｎｇ）、ダイヤモンドフィッティング（ｄｉａｍｏｎｄ  ｆｉｔｔｉｎｇ）、ビーズフィッティング（ｂｅａｄｓ  ｆｉｔｔｉｎｇ）、ベルトフィッティング（ｂｅｌｔｅｄ  ｆｉｔｔｉｎｇ）、フリンジフィッティング（ｆｒｉｎｇｅｄ  ｆｉｔｔｉｎｇ）など様々な製品のうちの何れか１つ又は少なくとも１つの組み合わせが連結されて構成される。カバー層２の表面には、少なくとも１つのパターン層縫着エリア２６が設けられて幾何学的形状に形成される。ここで幾何学形状とは、柄模様、縞模様、波模様、文字・数字、動植物、人物又はアニメの絵のうちの１つ又はそれらの組み合わせであり（図５参照）、これにより手につけて使用する際、美的外観にも優れたものである。
【００１７】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１  ネリ層
２  カバー層
３  連結箇所
４  内側手袋
５  外側手袋
１１  胴体部
１２  内指袋部
１３  複数本指袋
１４  縫糸
２１  胴体部
２２  外指袋部
２３  複数本指袋
２４  締付け部
２５  装飾物
２６  パターン層縫着エリア
３１  縫糸
４１  胴体部
４２  親指袋
４３  複数本指袋
５１  胴体部
５２  親指袋
５３  複数本指袋
５４  締付け部
１１１  手の甲エリア
１１２  掌エリア
１３１  人差指袋
１３２  中指袋
１３３  薬指袋
１３４  小指袋
２１１  手の甲部
２１２  掌エリア
２４１  袖口エリア
２４２  縫着エリア
２４２１  縫糸
Ａ  手袋本体
Ｂ  手袋本体
【図１】
0003183056.tif 000003
【図２】
0003183056.tif 000004
【図３】
0003183056.tif 000005
【図４】
0003183056.tif 000006
【図５】
0003183056.tif 000007
【図６】
0003183056.tif 000008